【手続補正書】
【提出日】平成18年1月10日(2006.1.10)
【手続補正１】
【補正対象書類名】特許請求の範囲
【補正対象項目名】全文
【補正方法】変更
【補正の内容】
【特許請求の範囲】
【請求項１】
記憶装置に対するデータの読出／書込処理及びデータの消去処理を制御する制御システムにおいて、
複数の記憶装置と、
前記複数の記憶装置との間の接続状態を切り替える第１の接続切替部を有し、前記第１の接続切替部を制御することにより、自身に接続された前記複数の記憶装置のいずれか一つに対してデータの読出／書込処理を実行する読出／書込処理制御部と、
前記複数の記憶装置との間の接続状態を切り替える第２の接続切替部を有し、前記第１の接続切替部により前記読出／書込処理制御部と接続されていない記憶装置に自身を接続するように前記第２の接続切替部を制御し、自身に接続された記憶装置のデータの消去処理を実行する消去処理制御部と
を備えることを特徴とする制御システム。
【請求項２】
前記読出／書込処理制御部による前記複数の記憶装置のいずれかへのデータの書込処理が完了した場合にデータの書込処理に使用された記憶装置及びその記憶装置内の領域に関する情報を記憶する使用領域管理部を更に備え、
前記消去処理制御部は、前記使用領域管理部が記憶している情報に基づいて、前記読出／書込処理制御部によりデータが書き込まれた記憶装置が記憶している消去すべきデータの消去処理を実行するようにしてあることを特徴とする請求項１に記載の制御システム。    
【請求項３】
前記消去処理制御部は、消去すべきデータを指定する情報を外部から受け付け、受け付けた情報に従って、前記使用領域管理部が記憶している情報に基づいて、前記読出／書込処理制御部によりデータが書き込まれた記憶装置が記憶している消去すべきデータの消去処理を実行するようにしてあることを特徴とする請求項２に記載の制御システム。
【請求項４】
前記消去処理制御部は、前記読出／書込処理制御部による読出処理が完了した場合に、前記使用領域管理部が記憶している情報に基づいて、前記読出／書込処理制御部によりデータが読み出された記憶装置が記憶している読み出されたデータの消去処理を実行するようにしてあることを特徴とする請求項２に記載の制御システム。
【請求項５】
記憶装置に対するデータの読出／書込処理及びデータの消去処理を制御する制御システムにおいて、
それぞれが、外部から受信した消去通知に従って、自身が記憶しているデータの消去処理を実行する消去処理部を有する複数の記憶装置と、
前記複数の記憶装置との間の接続状態を切り替える接続切替部を有し、前記接続切替部を制御することにより自身に接続された前記複数の記憶装置のいずれか一つに対してデータの読出／書込処理を実行する読出／書込処理制御部と、
前記接続切替部により前記読出／書込処理制御部と接続されていない記憶装置にデータの消去箇所を指定する消去通知を通知する消去管理部と
を備え、
前記複数の記憶装置それぞれは、前記消去管理部から消去通知を受信した場合に、受信した消去通知に従って、自身が記憶しているデータの消去処理を前記消去処理部が実行するようにしてあることを特徴とする制御システム。
【請求項６】
前記読出／書込処理制御部による前記複数の記憶装置のいずれかへのデータの書込処理が完了した場合にデータの書込処理に使用された記憶装置及びその記憶装置内の領域に関する情報を記憶する使用領域管理部を更に備え、
前記消去管理部は、前記使用領域管理部が記憶している情報に基づいて、前記読出／書込処理制御部によりデータが書き込まれた記憶装置へ、消去すべきデータの消去通知を通知するようにしてあることを特徴とする請求項５に記載の制御システム。
【請求項７】
前記消去管理部は、消去すべきデータを指定する情報を外部から受け付け、受け付けた情報に従って、前記使用領域管理部が記憶している情報に基づいて、前記読出／書込処理制御部によりデータが書き込まれた記憶装置へ、消去すべきデータの消去通知を通知するようにしてあることを特徴とする請求項６に記載の制御システム。
【請求項８】
前記消去管理部は、前記読出／書込処理制御部による読出処理が完了した場合に、前記使用領域管理部が記憶している情報に基づいて、前記読出／書込処理制御部によりデータが読み出された記憶装置へ、読み出されたデータを消去するための消去通知を通知するようにしてあることを特徴とする請求項６に記載の制御システム。
【請求項９】
複数の記憶装置に対するデータの読出／書込処理及びデータの消去処理を制御する制御装置において、
記憶装置に対してデータの読出／書込処理を実行する読出／書込処理制御部と、
前記複数の記憶装置のいずれか一つを前記読出／書込処理制御部に接続する第１の接続切替部と、
記憶装置が記憶しているデータの消去処理を実行する消去処理制御部と、
前記第１の接続切替部により前記読出／書込処理制御部と接続されていない記憶装置に前記消去処理制御部を接続する第２の接続切替部と
を備え、
前記読出／書込処理制御部は前記第１の接続切替部により接続された一つの記憶装置に対してデータの読出／書込処理を実行し、
前記消去処理制御部は、前記第１の接続切替部により前記読出／書込処理制御部と接続されていない記憶装置が記憶しているデータの消去処理を実行するようにしてあること
を特徴とする制御装置。
【請求項１０】
前記読出／書込処理制御部による前記複数の記憶装置のいずれかへのデータの書込処理が完了した場合にデータの書込処理に使用された記憶装置及びその記憶装置内の領域に関する情報を記憶する使用領域管理部を更に備え、
前記消去処理制御部は、前記使用領域管理部が記憶している情報に基づいて、前記読出／書込処理制御部によりデータが書き込まれた記憶装置が記憶している消去すべきデータの消去処理を実行するようにしてあることを特徴とする請求項９に記載の制御装置。
【請求項１１】
前記消去処理制御部は、消去すべきデータを指定する情報を外部から受け付け、受け付けた情報に従って、前記使用領域管理部が記憶している情報に基づいて、前記読出／書込処理制御部によりデータが書き込まれた記憶装置が記憶している消去すべきデータの消去処理を実行するようにしてあることを特徴とする請求項１０に記載の制御装置。
【請求項１２】
前記消去処理制御部は、読出／書込処理制御部による読出処理が完了した場合に、前記使用領域管理部が記憶している情報に基づいて、前記読出／書込処理制御部によりデータが読み出された記憶装置が記憶している読み出されたデータの消去処理を実行するようにしてあることを特徴とする請求項１０に記載の制御装置。
【請求項１３】
データの消去通知を受信した場合に受信した消去通知に従ってデータの消去処理を実行する複数の記憶装置に対するデータの読出／書込処理及びデータの消去処理を制御する制御装置において、
記憶装置に対してデータの読出／書込処理を実行する読出／書込処理制御部と、
前記複数の記憶装置のいずれか一つを前記読出／書込処理制御部に接続する接続切替部と、
記憶装置に対してデータの消去箇所を指定するための消去通知を通知する消去管理部と を備え、
前記読出／書込処理制御部は前記接続切替部により接続された一つの記憶装置に対してデータの読出／書込処理を実行し、
前記消去管理部は、前記接続切替部により前記読出／書込処理制御部と接続されていない記憶装置に対して消去通知を通知するようにしてあること
を特徴とする制御装置。
【請求項１４】
前記読出／書込処理制御部による前記複数の記憶装置のいずれかへのデータの書込処理が完了した場合にデータの書込処理に使用された記憶装置及びその記憶装置内の領域に関する情報を記憶する使用領域管理部を更に備え、
前記消去管理部は、前記使用領域管理部が記憶している情報に基づいて、前記読出／書込処理制御部によりデータが書き込まれた記憶装置へ、消去すべきデータの消去通知を通知するようにしてあることを特徴とする請求項１３に記載の制御装置。
【請求項１５】
前記消去管理部は、消去すべきデータを指定する情報を外部から受け付け、受け付けた情報に従って、前記使用領域管理部が記憶している情報に基づいて、前記読出／書込処理制御部によりデータが書き込まれた記憶装置へ、消去すべきデータの消去通知を通知するようにしてあることを特徴とする請求項１４に記載の制御装置。
【請求項１６】
前記消去管理部は、前記読出／書込処理制御部による読出処理が完了した場合に、前記使用領域管理部が記憶している情報に基づいて、前記読出／書込処理制御部によりデータが読み出された記憶装置へ、読み出されたデータを消去するための消去通知を通知するようにしてあることを特徴とする請求項１４に記載の制御装置。
【請求項１７】
データの読出／書込処理が可能な記憶装置であって、
データの消去箇所を指定する情報を外部から受け付ける消去受付部と、
前記受付部が受け付けた情報で指定された消去箇所に無意味なデータを書き込むことによってデータの消去処理を実行する消去処理部と
を備えることを特徴とする記憶装置。
【請求項１８】
コンピュータに、データの読出処理、消去処理、又は書込処理を実行する複数の記憶装置に対し、各処理に係る実行指示を出力させるコンピュータプログラムにおいて、
コンピュータに、各記憶装置が読出処理又は書込処理を実行中であるか否かを判断させるステップと、コンピュータに、読出処理及び書込処理が実行中でないと判断した記憶装置に対し、消去処理を実行すべき旨の実行指示を出力させるステップとを有することを特徴とするコンピュータプログラム。
【手続補正２】
【補正対象書類名】明細書
【補正対象項目名】０００８
【補正方法】変更
【補正の内容】
【０００８】
本発明は斯かる事情に鑑みてなされたものであり、データの読出処理、消去処理、又は書込処理を実行する複数の記憶装置と、これらの記憶装置による処理を制御する制御装置とを接続した構成において、従来の記憶装置を利用した場合であってもアクセス速度の低下を防止することが可能な制御システム、該制御システムで用いられる制御装置及び記憶装置、並びにコンピュータプログラムを提供することを目的とする。
【手続補正３】
【補正対象書類名】明細書
【補正対象項目名】０００９
【補正方法】変更
【補正の内容】
【０００９】
本発明に係る制御システムは、記憶装置に対するデータの読出／書込処理及びデータの消去処理を制御する制御システムにおいて、複数の記憶装置と、前記複数の記憶装置との間の接続状態を切り替える第１の接続切替部を有し、前記第１の接続切替部を制御することにより、自身に接続された前記複数の記憶装置のいずれか一つに対してデータの読出／書込処理を実行する読出／書込処理制御部と、前記複数の記憶装置との間の接続状態を切り替える第２の接続切替部を有し、前記第１の接続切替部により前記読出／書込処理制御部と接続されていない記憶装置に自身を接続するように前記第２の接続切替部を制御し、自身に接続された記憶装置のデータの消去処理を実行する消去処理制御部とを備えることを特徴とする。
また、本発明に係る制御システムは上記の制御システムにおいて、前記読出／書込処理制御部による前記複数の記憶装置のいずれかへのデータの書込処理が完了した場合にデータの書込処理に使用された記憶装置及びその記憶装置内の領域に関する情報を記憶する使用領域管理部を更に備え、前記消去処理制御部は、前記使用領域管理部が記憶している情報に基づいて、前記読出／書込処理制御部によりデータが書き込まれた記憶装置が記憶している消去すべきデータの消去処理を実行するようにしてあることを特徴とする。
更に本発明に係る制御システムは上記の制御システムにおいて、前記消去処理制御部は、消去すべきデータを指定する情報を外部から受け付け、受け付けた情報に従って、前記使用領域管理部が記憶している情報に基づいて、前記読出／書込処理制御部によりデータが書き込まれた記憶装置が記憶している消去すべきデータの消去処理を実行するようにしてあることを特徴とする。
また更に本発明に係る制御システムは上記の制御システムにおいて、前記消去処理制御部は、前記読出／書込処理制御部による読出処理が完了した場合に、前記使用領域管理部が記憶している情報に基づいて、前記読出／書込処理制御部によりデータが読み出された記憶装置が記憶している読み出されたデータの消去処理を実行するようにしてあることを特徴とする。
【手続補正４】
【補正対象書類名】明細書
【補正対象項目名】００１０
【補正方法】変更
【補正の内容】
【００１０】
上述のような本発明に係る制御システムでは、読出／書込処理制御部に第１の接続切替部により接続された一つの記憶装置に対してデータの読出／書込処理が実行され、読出／書込処理制御部と接続していない記憶装置に第２の接続切替部により書居処理制御部が接続され、この消去処理制御部に第２の接続切替部により接続された記憶装置が記憶しているデータの消去処理が実行される。
また前述のような本発明に係る制御システムでは上述のような制御システムにおいて、使用領域管理部が記憶している情報に基づいて、読出／書込処理制御部によりデータが書き込まれた記憶装置が記憶している消去すべきデータの消去処理が消去処理制御部により実行される。
更に前述のような本発明に係る制御システムでは上述のような制御システムにおいて、外部から受け付けた情報に従って、読出／書込処理制御部によりデータが書き込まれた記憶装置が記憶している消去すべきデータの消去が実行される。
また更に前述のような本発明に係る制御システムでは上述のような制御システムにおいて、読出／書込処理制御部による読出処理が完了した場合に、使用領域管理部が記憶している情報に基づいて、読出／書込処理制御部によりデータが読み出された記憶装置が記憶している読み出されたデータの消去処理が消去処理制御部により実行される。
【手続補正５】
【補正対象書類名】明細書
【補正対象項目名】００１１
【補正方法】変更
【補正の内容】
【００１１】
更に本発明に係る制御システムは、記憶装置に対するデータの読出／書込処理及びデータの消去処理を制御する制御システムにおいて、それぞれが、外部から受信した消去通知に従って、自身が記憶しているデータの消去処理を実行する消去処理部を有する複数の記憶装置と、前記複数の記憶装置との間の接続状態を切り替える接続切替部を有し、前記接続切替部を制御することにより自身に接続された前記複数の記憶装置のいずれか一つに対してデータの読出／書込処理を実行する読出／書込処理制御部と、前記接続切替部により前記読出／書込処理制御部と接続されていない記憶装置にデータの消去箇所を指定する消去通知を通知する消去管理部とを備え、前記複数の記憶装置それぞれは、前記消去管理部から消去通知を受信した場合に、受信した消去通知に従って、自身が記憶しているデータの消去処理を前記消去処理部が実行するようにしてあることを特徴とする。
また本発明に係る制御システムは上記の制御システムにおいて、前記読出／書込処理制御部による前記複数の記憶装置のいずれかへのデータの書込処理が完了した場合にデータの書込処理に使用された記憶装置及びその記憶装置内の領域に関する情報を記憶する使用領域管理部を更に備え、前記消去管理部は、前記使用領域管理部が記憶している情報に基づいて、前記読出／書込処理制御部によりデータが書き込まれた記憶装置へ、消去すべきデータの消去通知を通知するようにしてあることを特徴とする。
更に本発明に係る制御システムは上記の制御システムにおいて、前記消去管理部は、消去すべきデータを指定する情報を外部から受け付け、受け付けた情報に従って、前記使用領域管理部が記憶している情報に基づいて、前記読出／書込処理制御部によりデータが書き込まれた記憶装置へ、消去すべきデータの消去通知を通知するようにしてあることを特徴とする。
また更に本発明に係る制御システムは上記の制御システムにおいて、前記消去管理部は、前記読出／書込処理制御部による読出処理が完了した場合に、前記使用領域管理部が記憶している情報に基づいて、前記読出／書込処理制御部によりデータが読み出された記憶装置へ、読み出されたデータを消去するための消去通知を通知するようにしてあることを特徴とする。
【手続補正６】
【補正対象書類名】明細書
【補正対象項目名】００１２
【補正方法】変更
【補正の内容】
【００１２】
前述のような本発明に係る制御システムでは、接続切替部により接続された一つの記憶装置に対して読出／書込処理制御部によりデータの読出／書込処理が実行され、接続切替部が読出／書込処理制御部と接続していない記憶装置に対して消去管理部により消去通知が通知される。
また前述のような本発明に係る制御システムでは上述のような制御システムにおいて、使用領域管理部が記憶している情報に基づいて、読出／書込処理制御部によりデータが書き込まれた記憶装置が記憶している消去すべきデータの消去通知が消去管理部により通知される。
更に前述のような本発明に係る制御システムでは上述のような制御システムにおいて、外部から受け付けた情報に従って、読出／書込処理制御部によりデータが書き込まれた記憶装置が記憶している消去すべきデータの消去処理が実行される。
また更に前述のような本発明に係る制御システムでは上述のような制御システムにおいて、読出／書込処理制御部による読出処理が完了した場合に、使用領域管理部が記憶している情報に基づいて、読出／書込処理制御部によりデータが読み出された記憶装置が記憶している読み出されたデータの消去処理のための消去通知が消去管理部により記憶装置へ通知される。
【手続補正７】
【補正対象書類名】明細書
【補正対象項目名】００１３
【補正方法】変更
【補正の内容】
【００１３】
本発明に係る制御装置は、複数の記憶装置に対するデータの読出／書込処理及びデータの消去処理を制御する制御装置において、記憶装置に対してデータの読出／書込処理を実行する読出／書込処理制御部と、前記複数の記憶装置のいずれか一つを前記読出／書込処理制御部に接続する第１の接続切替部と、記憶装置が記憶しているデータの消去処理を実行する消去処理制御部と、前記第１の接続切替部により前記読出／書込処理制御部と接続されていない記憶装置に前記消去処理制御部を接続する第２の接続切替部とを備え、前記読出／書込処理制御部は前記第１の接続切替部により接続された一つの記憶装置に対してデータの読出／書込処理を実行し、前記消去処理制御部は、前記第１の接続切替部により前記読出／書込処理制御部と接続されていない記憶装置が記憶しているデータの消去処理を実行するようにしてあることを特徴とする。
【手続補正８】
【補正対象書類名】明細書
【補正対象項目名】００１４
【補正方法】変更
【補正の内容】
【００１４】
上述のような本発明に係る制御装置では、読出／書込処理制御部に第１の接続切替部により接続された一つの記憶装置に対してデータの読出／書込処理が実行され、読出／書込処理制御部と接続していない記憶装置に第２の接続切替部により書居処理制御部が接続され、この消去処理制御部に第２の接続切替部により接続された記憶装置が記憶しているデータの消去処理が実行される。
【手続補正９】
【補正対象書類名】明細書
【補正対象項目名】００１５
【補正方法】変更
【補正の内容】
【００１５】
また本発明に係る制御装置は上記の制御装置において、前記読出／書込処理制御部による前記複数の記憶装置のいずれかへのデータの書込処理が完了した場合にデータの書込処理に使用された記憶装置及びその記憶装置内の領域に関する情報を記憶する使用領域管理部を更に備え、前記消去処理制御部は、前記使用領域管理部が記憶している情報に基づいて、前記読出／書込処理制御部によりデータが書き込まれた記憶装置が記憶している消去すべきデータの消去処理を実行するようにしてあることを特徴とする。
更に本発明に係る制御装置は上記の制御装置において、前記消去処理制御部は、消去すべきデータを指定する情報を外部から受け付け、受け付けた情報に従って、前記使用領域管理部が記憶している情報に基づいて、前記読出／書込処理制御部によりデータが書き込まれた記憶装置が記憶している消去すべきデータの消去処理を実行するようにしてあることを特徴とする。
また本発明に係る制御装置は上記の制御装置において、前記消去処理制御部は、読出／書込処理制御部による読出処理が完了した場合に、前記使用領域管理部が記憶している情報に基づいて、前記読出／書込処理制御部によりデータが読み出された記憶装置が記憶している読み出されたデータの消去処理を実行するようにしてあることを特徴とする。
【手続補正１０】
【補正対象書類名】明細書
【補正対象項目名】００１６
【補正方法】変更
【補正の内容】
【００１６】
前述のような本発明に係る制御装置では上述のような制御装置において、使用領域管理部が記憶している情報に基づいて、読出／書込処理制御部によりデータが書き込まれた記憶装置が記憶している消去すべきデータの消去処理が消去処理制御部により実行される。
更に前述のような本発明に係る制御装置では上述のような制御装置において、外部から受け付けた情報に従って、読出／書込処理制御部によりデータが書き込まれた記憶装置が記憶している消去すべきデータの消去が実行される。
また更に前述のような本発明に係る制御装置では上述のような制御装置において、読出／書込処理制御部による読出処理が完了した場合に、使用領域管理部が記憶している情報に基づいて、読出／書込処理制御部によりデータが読み出された記憶装置が記憶している読み出されたデータの消去処理が消去処理制御部により実行される。
【手続補正１１】
【補正対象書類名】明細書
【補正対象項目名】００１７
【補正方法】変更
【補正の内容】
【００１７】
本発明に係る制御装置は、データの消去通知を受信した場合に受信した消去通知に従ってデータの消去処理を実行する複数の記憶装置に対するデータの読出／書込処理及びデータの消去処理を制御する制御装置において、記憶装置に対してデータの読出／書込処理を実行する読出／書込処理制御部と、前記複数の記憶装置のいずれか一つを前記読出／書込処理制御部に接続する接続切替部と、記憶装置に対してデータの消去箇所を指定するための消去通知を通知する消去管理部とを備え、前記読出／書込処理制御部は前記接続切替部により接続された一つの記憶装置に対してデータの読出／書込処理を実行し、前記消去管理部は、前記接続切替部により前記読出／書込処理制御部と接続されていない記憶装置に対して消去通知を通知するようにしてあることを特徴とする。
【手続補正１２】
【補正対象書類名】明細書
【補正対象項目名】００１８
【補正方法】変更
【補正の内容】
【００１８】
上述のような本発明に係る制御装置では、接続切替部により接続された一つの記憶装置に対して読出／書込処理制御部によりデータの読出／書込処理が実行され、接続切替部が読出／書込処理制御部と接続していない記憶装置に対して消去管理部により消去通知が通知される。
【手続補正１３】
【補正対象書類名】明細書
【補正対象項目名】００１９
【補正方法】変更
【補正の内容】
【００１９】
また本発明に係る制御装置は上記の制御装置において、前記読出／書込処理制御部による前記複数の記憶装置のいずれかへのデータの書込処理が完了した場合にデータの書込処理に使用された記憶装置及びその記憶装置内の領域に関する情報を記憶する使用領域管理部を更に備え、前記消去管理部は、前記使用領域管理部が記憶している情報に基づいて、前記読出／書込処理制御部によりデータが書き込まれた記憶装置へ、消去すべきデータの消去通知を通知するようにしてあることを特徴とする。
更に本発明に係る制御装置は上記の制御装置において、前記消去管理部は、消去すべきデータを指定する情報を外部から受け付け、受け付けた情報に従って、前記使用領域管理部が記憶している情報に基づいて、前記読出／書込処理制御部によりデータが書き込まれた記憶装置へ、消去すべきデータの消去通知を通知するようにしてあることを特徴とする。
また更に本発明に係る制御装置は上記の制御装置において、前記消去管理部は、前記読出／書込処理制御部による読出処理が完了した場合に、前記使用領域管理部が記憶している情報に基づいて、前記読出／書込処理制御部によりデータが読み出された記憶装置へ、読み出されたデータを消去するための消去通知を通知するようにしてあることを特徴とする。
【手続補正１４】
【補正対象書類名】明細書
【補正対象項目名】００２０
【補正方法】変更
【補正の内容】
【００２０】
前述のような本発明に係る制御装置では上述の制御装置において、使用領域管理部が記憶している情報に基づいて、読出／書込処理制御部によりデータが書き込まれた記憶装置が記憶している消去すべきデータの消去通知が消去管理部により通知される。
更に前述のような本発明に係る制御装置では上述のような制御装置において、外部から受け付けた情報に従って、読出／書込処理制御部によりデータが書き込まれた記憶装置が記憶している消去すべきデータの消去処理が実行される。
また更に前述のような本発明に係る制御装置では上述のような制御装置において、読出／書込処理制御部による読出処理が完了した場合に、使用領域管理部が記憶している情報に基づいて、読出／書込処理制御部によりデータが読み出された記憶装置が記憶している読み出されたデータの消去処理のための消去通知が消去管理部により記憶装置へ通知される。
【手続補正１５】
【補正対象書類名】明細書
【補正対象項目名】００２１
【補正方法】変更
【補正の内容】
【００２１】
本発明に係る記憶装置は、データの読出／書込処理が可能な記憶装置であって、データの消去箇所を指定する情報を外部から受け付ける消去受付部と、前記受付部が受け付けた情報で指定された消去箇所に無意味なデータを書き込むことによってデータの消去処理を実行する消去処理部とを備えることを特徴とする。
【手続補正１６】
【補正対象書類名】明細書
【補正対象項目名】００２２
【補正方法】変更
【補正の内容】
【００２２】
このような本発明に係る記憶装置では、外部からデータの消去箇所を指定する情報を受け付けた場合、その情報に従って記憶装置自身でデータの消去処理を実行する。
【手続補正１７】
【補正対象書類名】明細書
【補正対象項目名】００２５
【補正方法】変更
【補正の内容】
【００２５】
前述のような本発明に係る制御システムによれば、１台の記憶装置に対してデータの読出／書込処理が行なわれている間に他の記憶装置に対してデータの消去処理が平行して行なわれるので、データの消去待ちに伴なうアクセス速度の低下が低減される。
また前述のような本発明に係る制御システムによれば上述の制御システムにおいて、使用領域管理部が記憶している情報に基づいて、不要となったデータのみを選択的に消去することができる。
更に前述のような本発明に係る制御システムによれば上述の制御システムにおいて、たとえばＣＰＵ等から出力された消去すべきデータに関する情報に従って、記憶装置が記憶している消去すべきデータの消去処理が実行されるので、任意の時点で任意のデータを記憶装置から消去することができる。
更に前述のような本発明に係る制御システムによれば上述の制御システムにおいて、たとえば一つの記憶装置からデータの読出処理が完了した時点でそのデータの消去が必要である場合、使用領域管理部が記憶している情報に基づいて、記憶装置が記憶している消去すべきデータを直ちに消去することができる。
【手続補正１８】
【補正対象書類名】明細書
【補正対象項目名】００２６
【補正方法】変更
【補正の内容】
【００２６】
また前述のような本発明に係る制御システムによれば、１台の記憶装置に対してデータの読出／書込処理が行なわれている間に、他の記憶装置に対して消去管理部が消去通知を通知することによりデータの消去処理行なわれるので、データの消去待ちに伴なうアクセス速度の低下が低減される。
更に前述のような本発明に係る制御システムによれば上述の制御システムにおいて、使用領域管理部が記憶している情報に基づいて、不要となったデータのみを選択的に消去することができる。
また更に前述のような本発明に係る制御システムによれば上述の制御システムにおいて、たとえばＣＰＵ等から出力された消去すべきデータに関する情報に従って、記憶装置が記憶している消去すべきデータの消去処理が実行されるので、任意の時点で任意のデータを記憶装置から消去することが可能になる。
また更に前述のような本発明に係る制御システムによれば上述の制御システムにおいて、たとえば一つの記憶装置からデータの読出処理が完了した時点でそのデータの消去が必要である場合、使用領域管理部が記憶している情報に基づいて、記憶装置が記憶している消去すべきデータの消去通知が直ちに記憶装置へ通知されるので、消去されるべきデータを直ちに消去することができる。
【手続補正１９】
【補正対象書類名】明細書
【補正対象項目名】００２７
【補正方法】変更
【補正の内容】
【００２７】
前述のような本発明に係る制御装置によれば、１台の記憶装置に対してデータの読出／書込処理が行なわれている間に他の記憶装置に対してデータの消去処理が平行して行なわれるので、データの消去待ちに伴なうアクセス速度の低下が低減される。
【手続補正２０】
【補正対象書類名】明細書
【補正対象項目名】００２８
【補正方法】変更
【補正の内容】
【００２８】
前述のような本発明に係る制御装置によれば上述のような制御装置において、使用領域管理部が記憶している情報に基づいて、不要となったデータのみを選択的に消去することができる。
更に前述のような本発明に係る制御装置によれば上述のような制御装置において、外部から受け付けた情報に従って、記憶装置が記憶している消去すべきデータの消去処理が実行されるので、任意の時点で任意のデータを記憶装置から消去することができる。
また更に前述のような本発明に係る制御装置によれば上述のような制御装置において、たとえば一つの記憶装置からデータの読出処理が完了した時点でそのデータの消去が必要である場合、使用領域管理部が記憶している情報に基づいて、記憶装置が記憶している消去すべきデータを直ちに消去することができる。
【手続補正２１】
【補正対象書類名】明細書
【補正対象項目名】００２９
【補正方法】変更
【補正の内容】
【００２９】
本発明に係る制御装置によれば、１台の記憶装置に対してデータの読出／書込処理が行なわれている間に、他の記憶装置に対して消去管理部が消去通知を通知することによりデータの消去処理が行なわれるので、データの消去待ちに伴なうアクセス速度の低下が低減される。
【手続補正２２】
【補正対象書類名】明細書
【補正対象項目名】００３０
【補正方法】変更
【補正の内容】
【００３０】
更に前述のような本発明に係る制御装置によれば上述の制御装置において、使用領域管理部が記憶している情報に基づいて、不要となったデータのみを選択的に消去することができる。
また更に前述のような本発明に係る制御装置によれば上述の制御装置において、たとえばＣＰＵ等から出力された消去すべきデータに関する情報に従って、記憶装置が記憶している消去すべきデータの消去処理が実行されるので、任意の時点で任意のデータを記憶装置から消去することが可能になる。
また更に前述のような本発明に係る制御装置によれば上述の制御装置において、たとえば一つの記憶装置からデータの読出処理が完了した時点でそのデータの消去が必要である場合、使用領域管理部が記憶している情報に基づいて、記憶装置が記憶している消去すべきデータの消去通知が直ちに記憶装置へ通知されるので、消去されるべきデータを直ちに消去することができる。
【手続補正２３】
【補正対象書類名】明細書
【補正対象項目名】００３１
【補正方法】変更
【補正の内容】
【００３１】
本発明に係る記憶装置によれば、外部からデータの消去箇所に係る情報を受付けた場合、その情報に従ってデータの消去処理を実行するようにしているため、データが不要であると外部の装置にて判断された時点でそのデータの消去を実行するこができる。
【手続補正２４】
【補正対象書類名】明細書
【補正対象項目名】００７４
【補正方法】変更
【補正の内容】
【００７４】
消去処理部１１２ａから消去完了通知がないと判断した場合（Ｓ５４：ＮＯ）、ＨＤＤ１１０ｂ内の消去処理部１１２ｂから消去完了通知があるか否かを判断する（ステップＳ５７）。消去処理部１１２ｂから消去完了通知があると判断した場合（Ｓ５７：ＹＥＳ）、スイッチ４０５を制御してＨＤＤ１１０ｂを読出／書込処理制御部４０２へ接続し（ステップＳ５８）、読出／書込処理制御部４０２に接続していたＨＤＤ（１１０ａ，１１０ｃ，１１０ｄ）の消去処理部（１１２ａ，１１２ｃ，１１２ｄ）に消去箇所を通知する（Ｓ５６）。読出／書込処理制御部４０２に接続されたＨＤＤ１１０ｂにはデータの読出指示又は書込指示を与え、読出処理又は書込処理を実行させ、消去箇所を通知したＨＤＤ１１０ａ，１１０ｃ，１１０ｄにはデータの消去処理を実行させる。消去箇所の通知を受けたＨＤＤ１１０ａ，１１０ｃ，１１０ｄは、図５に示したフローチャートと同様の手順によりデータの消去処理を実行し、消去処理が完了した時点で消去完了通知を読出／書込処理制御部４０２へ送出する。